(57)【要約】【課題】特に成長期の子供達が骨の成長の重要性を容易に理解することが可能な教材を提供する。【解決手段】大人の骨格図シート１と子供の骨格図シート２とが並べられて配置され、これらのうち子供の骨格図シート２に成長軟骨（骨の成長する部分）が示されている。これにより、成長前と成長後の骨格の様子を子供が一目で認識することができる。よって、特に成長期の子供達が骨の成長の重要性を容易に理解することが可能となる。延いては、子供達に対し、健全な骨の育成に必要なカルシウム等を多く含む牛乳の摂取を促すことができる。【選択図】図１
0003150479.tif 000002
【実用新案登録請求の範囲】
【請求項１】
大人の骨格図が描かれた第１のシートと、子供の骨格図が描かれると共に成長軟骨が示された第２のシートを備えた教材。
【請求項２】
前記第１のシートおよび第２のシートにおいて、それぞれの骨格部分の背景に色付けがなされている請求項１に記載の教材。
【請求項３】
前記第１のシートの背景色は青色であり、前記第２のシートの背景色は黄色である請求項２に記載の教材。
【請求項４】
前記第２のシートにおいて、前記成長軟骨は他の部分と色分けされている請求項１に記載の教材。
【請求項５】
前記第２のシートにおいて、特定部位の成長率が記載されている請求項１に記載の教材。
【考案の詳細な説明】
【技術分野】
【０００１】
本考案は、特に成長期の子供達に対して牛乳の摂取を促すための教材（全身骨格図教材）に関する。
【背景技術】
【０００２】
骨粗鬆症等の防止や健全な骨の育成のためには、カルシウム等の栄養をたくさん摂取することが重要である。特に、成長期の子供達にとっては、丈夫で健全な骨をつくるために、カルシウムが多く含まれた食品、例えば牛乳を多く採ることが不可欠である。
【考案の概要】
【考案が解決しようとする課題】
【０００３】
そこで、成長期の子供向けの教材として、カルシウムを多く含む牛乳の摂取を促すべく、子供達が骨の成長を一目で認識し易く、その重要性を理解することができるようなものがあれば望ましい。
【０００４】
本考案はかかる問題点に鑑みてなされたもので、その目的は、特に成長期の子供達が骨の成長の重要性を容易に理解することが可能な教材を提供することにある。
【課題を解決するための手段】
【０００５】
本考案の教材は、大人の骨格図が描かれた第１のシートと、子供の骨格図が描かれると共に成長軟骨が示された第２のシートとを備えた教材である。
【０００６】
本考案の教材では、大人の骨格図が描かれた第１のシートと、子供の骨格図が描かれると共に成長軟骨（骨の成長する部分）が示された第２のシートとを備えていることにより、子供が成長前と成長後の骨格の様子を一目で認識することができる。
【０００７】
また、第１のシートおよび第２のシートにおいて、それぞれの骨格部分の背景に色付けがなされていることが望ましく、この背景色が互いに異なっていることがより望ましい。例えば、第２のシートの背景色が黄色、第１のシートの背景色が青色となっているとよい。背景がカラーであることにより、子供の興味を惹き易く、また黄色は、様々な色の中でも比較的注意を引きつけ易い色であるため、子供の骨格図を強調して示すことができる。
【考案の効果】
【０００８】
本考案の教材によれば、大人の骨格図が描かれた第１のシートと、子供の骨格図が描かれると共に成長軟骨が示された第２のシートとを備えるようにしたので、成長前と成長後の骨格を子供が一目で認識することができる。これにより、特に成長期の子供達が骨の成長の重要性を容易に理解することが可能となる。延いては、健全な骨の育成に必要なカルシウムを多く含んだ牛乳の摂取を子供達に促すことができる。
【図面の簡単な説明】
【０００９】
【図１】本考案の一実施の形態に係る教材である。
【考案を実施するための形態】
【００１０】
以下、本考案の実施の形態について、図面を参照して詳細に説明する。
【００１１】
図１は、本考案の一実施の形態に係る教材（全身骨格図教材）である。この教材は、大人の全身骨格１０が描かれた骨格図シート１（第１のシート）と、子供の全身骨格２０が描かれた骨格図シート２（第２のシート）とのセットである。これらの骨格図シート１および骨格図シート２はそれぞれ、布や薄板あるいは紙等のシート状の部材であり、互いに対比可能に配置されて使用されるものである。例えば、骨格図シート１および骨格図シート２が横方向に隣り合うように並べられて使用される。
【００１２】
このような教材において、大人の全身骨格１０と子供の全身骨格２０との寸法比率は、実際の寸法比率と同等となっていることが望ましく、それぞれが等身大であることがより望ましい。大人の骨格と子供の骨格とを対比し易く、子供がその違いを認識し易くなるためである。なお、大人の全身骨格１０と子供の全身骨格２０とを等身大（あるいはこれに近い寸法）とする場合には、骨格図シート１および骨格図シート２を例えば壁等に貼り付けたり、上方から吊るしたりするとよい。また、骨格図シート１における背景１０Ａおよび骨格図シート２における背景２０Ａには互いに異なる色となっている。
【００１３】
骨格図シート１では、全身骨格１０の背景１０Ａが青色となっており、背景１０Ａの上部には、「おとなの全身骨格図」と記載された解説部１２と、大人の身長データが記載された解説部１１とが設けられている。解説部１１には、例えば「しんちょう１７０センチメートル」との記載がなされている。解説部１１および解説部１２における記載は、子供が読みやすいように、漢字に振り仮名を付けるか、平仮名とすることが望ましい。このような骨格図シート１における大人の全身骨格１０としては、健全な成長を遂げた骨格が描かれていることが望ましい。
【００１４】
骨格図シート２では、全身骨格２０の背景２０Ａが黄色となっており、背景２０Ａの上部には、「こどもの全身骨格図」と記載された解説部２２と、子供の身長データが記載された解説部２１とが設けられている。解説部２１には、例えば「しんちょう１３０センチメートル」との記載がなされている。解説部２１および解説部２２における記載は、上記骨格図シート１と同様、漢字にふりがなを付けるか、平仮名とすることが望ましい。
【００１５】
このような骨格図シート２では、全身骨格２０に成長軟骨２０Ｂが明示されている。この成長軟骨２０Ｂは、上腕骨から指先にかけての部位、寛骨、および大腿骨から足先にかけての部位の一部に相当する。この成長軟骨２０Ｂは、他の骨部分に対して例えば色分けされており、背景２０の下部の解説部２３には、この色分けされた箇所が成長軟骨である旨の説明が記載されている。なお、成長軟骨とは骨の成長する部分であるが、このことについても解説部２３の括弧内に記載されている。
【００１６】
骨格図シート２では更に、全身骨格２０の特定の部位がそれぞれどの程度成長するか（成長率）についても示されている。具体的には、図中Ａの部分には、腰椎から頸椎にかけての成長率（例えば「成長１５％」）、図中Ｂの部分には、上腕骨から指先にかけての成長率（例えば「成長２０％」）、図中Ｃの部分には、寛骨の成長率（例えば「成長１５％」）、図中Ｄの部分には、大腿骨から足先にかけての成長率（例えば「成長３０％」）がそれぞれ記載されている。
【００１７】
以上のように、本実施の形態では、大人の骨格図シート１と子供の骨格図シート２とが対比可能に配置され、これらのうち子供の骨格図シート２に成長軟骨２０Ｂが明示されていることにより、成長前と成長後の骨格の様子を子供が一目で認識することができる。これにより、特に成長期の子供達が骨の成長の重要性を容易に理解することができるようになる。延いては、子供達にカルシウム等を多く含む牛乳の摂取を促すことができる。
【００１８】
また、大人の骨格図シート１および子供の骨格図シート２において、背景１０Ａ，２０Ａがカラーであることにより子供の興味を惹き易い。また、本実施の形態では、子供の骨格図シート２における背景色を黄色としたが、この黄色は様々な色の中でも比較的注意を引きつけ易い色であるため、子供の骨格図シート２を特に強調して示すことができる。
【００１９】
更に、子供の骨格図シート２において、特定部位の成長率が記載されていることにより、身体のどの部分がどのくらい成長するのかがわかり易い。
【００２０】
以上、実施の形態を挙げて本考案を説明したが、本考案はこの実施の形態に限定されず、種々の変形が可能である。例えば、上記実施の形態では、大人の骨格図シート１と子供骨格図シート２とを対比すべく、これらを横に並べた場合を例に挙げて説明したが、骨格図シート１と骨格図シート２との配置関係はこれに限定されず、両者が対比可能な関係となっていればよい。
【００２１】
また、上記実施の形態では、大人の全身骨格と子供の全身骨格とがそれぞれ別々のシートに描かれた場合を例に挙げて説明したが、これに限定されず、大人と子供の各全身骨格が互いに同一のシート上に描かれてもよい。このような構成であっても、子供は、大人の全身骨格と子供の全身骨格とを対比して見ることができ、本考案と同等の効果を得ることができる。
【００２２】
更に、上記実施の形態では、大人の骨格図シート１における背景色が青色、子供骨格図シート２における背景色が黄色である場合を例に挙げて説明したが、各骨格図における背景色は必ずしもこれに限定されず、各骨格図の背景色を他の色としてもよいし、色付けしなくともよい。
【００２３】
加えて、上記実施の形態で説明した解説部１１，１２，２１，２２，２３については、大人の骨格と子供の骨格との対比をより分かり易くするための補助的な記載であるため、特に設けられていなくともよい。
【符号の説明】
【００２４】
１…骨格図シート（大人）、２…骨格図シート（子供）、１０…全身骨格（大人）、２０…全身骨格（子供）、２０Ｂ…成長軟骨、１１，１２，２１，２２，２３…解説部。
【図１】
0003150479.tif 000003